(57)【要約】      （修正有）【課題】禁止された行為を行うおそれのある利用者の入場を制限することができる入退場管理システムを提供する。【解決手段】カメラ部を備える携帯端末装置２と、携帯端末装置２が格納している情報を受信する非接触ＩＣカード用外部Ｒ／Ｗ３と、非接触ＩＣカード用外部Ｒ／Ｗ３から情報を受信して、携帯端末装置２の利用者の入退場を管理する入退場管理サーバ４とを具備する。入退場管理サーバ４は、携帯端末装置２を識別する識別番号と、エリア５に対する携帯端末装置２の入退場ステータスと、携帯端末装置２がエリア５に前回入場していた間にカメラ部が操作された回数とを関連付けた管理テーブルを有する入退場管理部を備え、受信した識別番号に基づいて携帯端末装置２の認証を行い、識別番号に関連付けられた携帯端末装置２の入退場ステータスが退場の場合に、カメラ部が操作された回数が所定回数以内でない場合、利用者のエリア５への入場を制限する。【選択図】図１
2011044889.tif 000002
【特許請求の範囲】
【請求項１】
カメラ部を備える携帯端末装置と、
電波または磁界を発生させて、前記携帯端末装置が格納している情報を受信する非接触ＩＣカード用外部Ｒ／Ｗと、
前記非接触ＩＣカード用外部Ｒ／Ｗから前記情報を受信して、前記携帯端末装置の利用者の入退場を管理する入退場管理サーバと
を具備し、
前記入退場管理サーバは、
前記携帯端末装置を識別する識別番号と、エリアに対する前記携帯端末装置の入退場ステータスと、前記携帯端末装置が前記エリアに前回入場していた間に前記カメラ部が操作された回数とを関連付けた管理テーブルを有する入退場管理部
を備え、
前記携帯端末装置は、前記情報として前記識別番号を送信し、
前記入退場管理部は、受信した前記識別番号に基づいて前記携帯端末装置の認証を行い、前記識別番号に関連付けられた前記携帯端末装置の前記入退場ステータスが退場の場合に、前記カメラ部が操作された回数が、所定回数以内であるか否かを判定し、前記カメラ部が操作された回数が前記所定回数以内でない場合、前記利用者の前記エリアへの入場を制限する
入退場管理システム。
【請求項２】
請求項１に記載の入退場管理システムであって、
前記携帯端末装置は、
前記入退場管理サーバから受信した前記入退場ステータスを格納するメモリ部と、
前記入退場ステータスが入場の場合に前記カメラ部が操作される度、前記カメラ部の起動を禁止し、前記カメラ部の起動が禁止された情報を提供する制御部と、
前記カメラ部の起動が禁止された情報を受け取り、禁止操作の回数として前記メモリ部に提供する通信制御部と
を更に備える
入退場管理システム。
【請求項３】
請求項２に記載の入退場管理システムであって、
前記携帯端末装置は、
前記メモリ部に格納された前記入退場ステータスを前記利用者に点灯又は点滅で通知するＬＥＤ出力部
を更に備える
入退場管理システム。
【請求項４】
請求項２又は３に記載の入退場管理システムであって、
前記携帯端末装置は、前記情報として更に前記禁止操作の回数を送信し、
前記入退場管理部は、前記識別番号に関連付けられた前記携帯端末装置の前記入退場ステータスが入場の場合に、前記カメラ部が操作された回数を、受信した前記禁止操作の回数に更新する
入退場管理システム。
【請求項５】
カメラ部を備える携帯端末装置が、非接触ＩＣカード用外部Ｒ／Ｗが発生させる電波または磁界を受信するステップと、
前記携帯端末装置が、識別番号を送信するステップと、
入退場管理サーバが、前記非接触ＩＣカード用外部Ｒ／Ｗから前記識別情報を受信するステップと、
前記入退場管理サーバが、前記携帯端末装置の利用者の入場を管理するステップと
を具備し、
前記入場を管理するステップは、
前記識別番号と、エリアに対する前記携帯端末装置の入退場ステータスと、前記携帯端末装置が前記エリアに前回入場していた間に前記カメラ部が操作された回数とを関連付けた管理テーブルを参照して、受信した前記識別番号に対応する前記携帯端末装置の認証を行うステップと、
前記識別番号に関連付けられた前記携帯端末装置の前記入退場ステータスが退場の場合に、前記カメラ部が操作された回数が、所定回数以内であるか否かを判定するステップと、
前記カメラ部が操作された回数が前記所定回数以内でない場合、前記利用者の前記エリアへの入場を制限するステップと
を備える
入退場管理方法。
【請求項６】
請求項５に記載の入退場管理方法であって、
前記入場を管理するステップは、
前記カメラ部が操作された回数が前記所定回数以内の場合、前記入退場ステータスを入場に更新するステップと、
入場に更新された前記入退場ステータスを前記携帯端末装置に送信するステップと
を備え、
前記入退場管理サーバから受信した入場に更新された前記入退場ステータスを格納するステップと、
入場の前記入退場ステータスに基づいて、前記カメラ部が操作される度、前記カメラ部の起動を禁止するステップと、
前記カメラ部の起動が禁止された情報を提供するステップと、
前記カメラ部の起動が禁止された情報に基づいて、禁止操作の回数として格納するステップと
を更に具備する
入退場管理方法。
【請求項７】
請求項６に記載の入退場管理方法であって、
前記入退場ステータスを格納するステップは、
前記入退場ステータスの入場に対応した点灯又は点滅をするステップ
を含む
入退場管理方法。
【請求項８】
請求項６又は７に記載の入退場管理方法であって、
前記禁止操作の回数を格納する前記携帯端末装置が、前記非接触ＩＣカード用外部Ｒ／Ｗが発生させる電波または磁界を受信するステップと、
前記携帯端末装置が、前記禁止操作の回数と前記識別番号とを送信するステップと、
前記入退場管理サーバが、前記非接触ＩＣカード用外部Ｒ／Ｗから前記禁止操作の回数と前記識別番号とを受信するステップと、
前記入退場管理サーバが、前記利用者の退場を管理するステップと
を具備し、
前記退場を管理するステップは、
前記識別番号に関連付けられた前記携帯端末装置の前記入退場ステータスが入場の場合に、前記カメラ部が操作された回数を、前記禁止操作の回数に更新するステップ
を備える
入退場管理方法。
【請求項９】
請求項１乃至４の何れか一項に記載の入退場管理システムで使用される
携帯端末装置。
【請求項１０】
請求項１乃至４の何れか一項に記載の入退場管理システムで使用される
入退場管理サーバ。
【発明の詳細な説明】
【技術分野】
【０００１】
本発明は、カメラ機能を有する携帯端末装置に関し、特に入退場管理システム、入退場管理方法、携帯端末装置及び入退場管理サーバに関する。
【背景技術】
【０００２】
特定場所から情報漏洩することを避けたい管理者は、特定場所への入退場管理を行う他に、更に、撮影禁止区域を指定して、カメラの使用を禁止する場合が増えている。カメラ機能を備えた携帯端末装置に関する技術として、特許文献１及び特許文献２が挙げられる。特許文献１には、工場の区域にレベルを設けて、区域レベルに応じてカメラ機能を抑止するカメラ機能制御方法が開示されている。このカメラ機能制御方法では、カメラ付き携帯電話が、ＩＣタグリーダ・ライタと、許可番号を記録するＩＣタグ（以降ＫＩＣタグと称する）とを備えている。カメラ撮影禁止区域の入口に設けたゲートは、ＫＩＣタグから許可番号を読み込み、許可番号が許可されていると判明したときに、ゲートのＩＣタグ（以降、ＧＩＣタグと称する）にカメラ撮影禁止コードを書き込むと共にゲートを開ける。カメラ付き携帯電話のＩＣタグリーダ・ライタは、ＧＩＣタグからカメラ禁止コードを読み込み、ＫＩＣタグに書き込む。この様なカメラ機能制御方法は、工場などの入口ゲートで、カメラ付き携帯電話に装着されたＫＩＣタグにカメラ撮影禁止コードを記憶させ、工場などの区域レベルに応じたカメラ機能の抑止制御を行うことができるというものである。
【０００３】
特許文献２には、データ運用システムに関し、ＲＦＩＤを用いた入退場管理システムの情報記録に関する技術が開示されている。このデータ運用システムは、揮発性メモリ手段と、不揮発性メモリ手段と、非接触ＩＣ手段とを有する記録装置（デジタルカメラ）と、非接触ＩＣ手段に格納された情報の読み出し及び書き込みを行う複数のゲート手段と、複数のゲート手段の各々と接続する入出管理装置と、記録装置と接続される課金管理装置とを備える。記憶装置（デジタルカメラ）は、複数のゲート手段によって形成される領域の外から入場する場合に非接触ＩＣ手段が入場情報を書き込み、領域外に退場する場合に非接触ＩＣ手段が入場情報を消去する。つまり、記憶装置（デジタルカメラ）は、入退場ステータスを非接触ＩＣ手段で管理する。そして、記録装置（デジタルカメラ）は、情報を記録する際に、非接触ＩＣ手段の入場情報に基づき記録したデータに付加情報を付加し、付加情報に基づき記録データの記憶先を揮発性メモリ手段または記録メディアから選択する。即ち、記憶装置（デジタルカメラ）は、撮影した画像データを、入退場ステータスが「入場」の時は揮発性メモリに保存する。更に、記憶装置（デジタルカメラ）は、揮発性メモリ手段に格納された記録データを不揮発性メモリ手段に移動する際に、課金情報を課金管理装置に送信する。つまり、記憶装置（デジタルカメラ）は、画像データを揮発性メモリから不揮発メモリに移動するとき、画像データに関る課金情報を生成し、課金管理装置に送出する。この様なデータ運用システムは、デジタルカメラの利用者が著作権又は肖像権を侵害することを防ぎ、管理側もカメラの持ち込みを制限する必要がなくなるというものである。
【先行技術文献】
【特許文献】
【０００４】
【特許文献１】特開２００７−６８１０４号公報
【特許文献２】特開２００６−２１５８７６号公報
【発明の概要】
【発明が解決しようとする課題】
【０００５】
本発明の目的は、禁止された行為を行うおそれのある利用者の入場を制限することができる入退場管理システムを提供することにある。
【課題を解決するための手段】
【０００６】
本発明の入退場管理システムは、カメラ部を備える携帯端末装置と、電波または磁界を発生させて、携帯端末装置が格納している情報を受信する非接触ＩＣカード用外部Ｒ／Ｗと、非接触ＩＣカード用外部Ｒ／Ｗから情報を受信して、携帯端末装置の利用者の入退場を管理する入退場管理サーバとを具備する。入退場管理サーバは、携帯端末装置を識別する識別番号と、エリアに対する携帯端末装置の入退場ステータスと、携帯端末装置がエリアに前回入場していた間にカメラ部が操作された回数とを関連付けた管理テーブルを有する入退場管理部を備える。携帯端末装置は情報として識別番号を送信する。入退場管理部は、受信した識別番号に基づいて携帯端末装置の認証を行い、識別番号に関連付けられた携帯端末装置の入退場ステータスが退場の場合に、カメラ部が操作された回数が、所定回数以内であるか否かを判定し、カメラ部が操作された回数が所定回数以内でない場合、利用者のエリアへの入場を制限する。
【０００７】
本発明の入退場管理方法は、カメラ部を備える携帯端末装置が、非接触ＩＣカード用外部Ｒ／Ｗが発生させる電波または磁界を受信するステップと、携帯端末装置が、識別番号を送信するステップと、入退場管理サーバが、非接触ＩＣカード用外部Ｒ／Ｗから識別情報を受信するステップと、入退場管理サーバが、携帯端末装置の利用者の入場を管理するステップとを具備する。入場を管理するステップは、識別番号と、エリアに対する携帯端末装置の入退場ステータスと、携帯端末装置がエリアに前回入場していた間にカメラ部が操作された回数とを関連付けた管理テーブルを参照して、受信した識別番号に対応する携帯端末装置の認証を行うステップと、識別番号に関連付けられた携帯端末装置の入退場ステータスが退場の場合に、カメラ部が操作された回数が、所定回数以内であるか否かを判定するステップと、カメラ部が操作された回数が所定回数以内でない場合、利用者のエリアへの入場を制限するステップとを備える。
【発明の効果】
【０００８】
本発明の入退場管理システムは、禁止された行為を行うおそれのある利用者の入場を制限することができる。
【図面の簡単な説明】
【０００９】
【図１】図１は、本発明の入退場管理システム１の構成例を示したブロック図である。
【図２】図２は、携帯端末装置２のハードウェア構成例を示した図である。
【図３】図３は、非接触ＩＣカード処理部２１の機能ブロック図である。
【図４】図４は、入退場管理サーバ４の機能ブロック図である。
【図５】図５は、入退場管理部４２が有する管理テーブルの例である。
【図６】図６は、入退場管理サーバ４の実施の形態における、ハードウェア構成例を示すブロック図である。
【図７】図７は、入退場管理システム１の実施の形態の処理動作において、利用者が携帯端末装置２を所持してエリア５に入場したときの処理動作を示したフローチャートである。
【図８】図８は、入退場管理システム１の実施の形態の処理動作において、利用者が携帯端末装置２を所持してエリア５に入場した後、エリア５内でカメラ撮影するときの処理動作を示したフローチャートである。
【図９】図９は、入退場管理システム１の実施の形態の処理動作において、利用者が携帯端末装置２を所持してエリア５から退場するときの処理動作を示したフローチャートである。
【発明を実施するための形態】
【００１０】
以下、添付図面を参照して本発明の実施の形態による入退場管理システム、入退場管理方法、携帯端末装置及び入退場管理サーバを説明する。
【００１１】
図１は、本発明の入退場管理システム１の構成例を示したブロック図である。図１を参照すると、入退場管理システム１は、携帯端末装置２と、非接触ＩＣ（Ｉｎｔｅｇｒａｔｅｄ  Ｃｉｒｃｕｉｔ）カード外部Ｒ／Ｗ（リーダ／ライタ）３と、入退場管理サーバ４とを具備する。携帯端末装置２は、無線通信回線経由の音声通話機能、撮影機能（カメラ）、及びインターネットと相互接続された無線回線経由にて電子メールが送受信可能な機能の３種類の機能を有する。これらの機能や通信手順（プロトコル）については特に言及せず、いずれも既知の技術が用いられるものとする。携帯端末装置２は、入退場管理が必要な同一の建物や同一の区域などのエリア５へ入退場する利用者によって所持及び操作される。非接触ＩＣカード用外部Ｒ／Ｗ３と入退場管理サーバ４とは、エリア５内又はエリア５の入退場口に備えられ、携帯端末装置２を所持する利用者のエリア５への入退場を管理する。非接触ＩＣカード用外部Ｒ／Ｗ３及び入退場管理サーバ４は、エリア５の管理者によって管理及び操作される。携帯端末装置２と非接触ＩＣカード用外部Ｒ／Ｗ３とは、無線通信によって情報を送受信する。非接触ＩＣカード用外部Ｒ／Ｗ３と入退場管理サーバ４とは有線専用線で接続され、情報を送受信する。
【００１２】
図２は、携帯端末装置２のハードウェア構成例を示した図である。図２を参照すると、携帯端末装置２は、無線部１１と、制御部１２と、ＬＣＤ（Ｌｉｑｕｉｄ  Ｃｒｙｓｔａｌ  Ｄｉｓｐｌａｙ）部１３と、キー入力部１４と、レシーバ部１５と、マイク部１６と、振動発生部１７と、ＲＡＭ（Ｒａｎｄｏｍ  Ａｃｃｅｓｓ  Ｍｅｍｏｒｙ）部１８と、ＲＯＭ（Ｒｅａｄ  Ｏｎｌｙ  Ｍｅｍｏｒｙ）部１９と、カメラ部２０と、非接触ＩＣカード処理部２１とを備える。
【００１３】
無線部１１はアンテナ及び無線通信回路を含み、無線回線を使用して音声、文字及び画像などの情報を送受信する。制御部１２はＣＰＵ（Ｃｅｎｔｒａｌ  Ｐｒｏｃｅｓｓｉｎｇ  Ｕｎｉｔ）を含み、ＲＡＭ部１８及びＲＯＭ部１９に格納されている本発明の入退場管理システム１に係る演算処理及び制御処理を行う。尚、以降特別な言及はしないが、制御部１２、ＲＯＭ部１９に格納されたプログラム及び各種ハードウェアが協働して、携帯端末装置２の各機能は実現される。
【００１４】
ＬＣＤ部１３は、制御部１２から提供される各種メッセージ情報や利用者データを、利用者が認識できるように表示する。キー入力部１４は、利用者入力による情報及び指示を受け付け、制御部１２へ提供する。レシーバ部１５は各種通知音パターンを有し、制御部１２から提供される携帯端末装置２の状態を、通知音で利用者が認識できるように出力する。マイク部１６は、利用者の声や周囲の音声を検知し、制御部１２へ提供する。振動発生部１７は、制御部１２から提供される指示に基づいて振動を発生する。
【００１５】
ＲＡＭ部１８は、制御部１２が各種動作を行う際のデータや、カメラ部２０が撮影した画像データを格納する。ＲＯＭ部１９は、制御部１２が動作する為の携帯端末装置２のプログラムを格納する。ＲＯＭ部１９が格納するデータは、利用者の操作によって書き換えられることがない。
【００１６】
カメラ部２０は、レンズ及びＣＣＤ（Ｃｈａｒｇｅ  Ｃｏｕｐｌｅｄ  Ｄｅｖｉｃｅ  Ｉｍａｇｅ  Ｓｅｎｓｏｒ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）の光学センサ（撮像素子）を含み、利用者の操作に基づいて対象物を撮影する。尚、携帯端末装置２がエリア５内にある場合（後述する入退場ステータスが入場の場合）に、カメラ部２０を起動させる操作や撮影ボタンの押下など撮影に係る操作は、制御部１２が禁止操作として検出する。そして、制御部１２は、入退場ステータスが入場の場合にカメラ部２０が操作される度、カメラ部の起動を禁止し、カメラ部２０の起動が禁止された情報を、非接触ＩＣカード処理部２１へ提供する。
【００１７】
非接触ＩＣカード処理部２１は、アンテナ、ＣＰＵ（Ｃｅｎｔｒａｌ  Ｐｒｏｃｅｓｓｉｎｇ  Ｕｎｉｔ）及びメモリを含み、非接触ＩＣカード用外部Ｒ／Ｗ３が発生させる電波または磁界を受信して起動する。非接触ＩＣカード処理部２１は、携帯端末装置２の各部とは独立して起動し、店舗（エリア５）のレジや入退場口に備え付けられた非接触ＩＣカード用外部Ｒ／Ｗ３に、メモリの情報を非接触方式で送信する。送信された情報は、非接触ＩＣカード用外部Ｒ／Ｗ３と接続された入退場管理サーバ４によって、情報の照合や決済あるいは清算の処理が行われる。そして、非接触ＩＣカード処理部２１は、入退場管理サーバ４で処理された情報を、非接触ＩＣカード用外部Ｒ／Ｗ３を介して受信し、メモリに格納する。
【００１８】
図３は、非接触ＩＣカード処理部２１の機能ブロック図である。図３を参照すると、非接触ＩＣカード機能部２１は、送受信部２０１と、通信制御部２０２と、メモリ部２０３とを含む。
【００１９】
送受信部２０１は、非接触ＩＣカード用外部Ｒ／Ｗ３と情報を送受信する。通信制御部２０２は、非接触ＩＣカード機能、即ち非接触ＩＣカード用外部Ｒ／Ｗ３を介して非接触で行う情報の送受信機能に関る一連の処理を制御する。また、通信制御部２０２は制御部１２と接続される。従って、通信制御部２０２と、携帯端末装置２が実現する各種機能とは、相互にアクセスすることができる。詳細には、前述したように、制御部１２は入退場ステータスが入場の場合にカメラ部２０が操作される度、カメラ部２０の起動を禁止し、カメラ部２０の起動が禁止された情報を提供する。通信制御部２０２はカメラ部２０の起動が禁止された情報を受け取って、受け取った回数をカウントして禁止操作の回数としてメモリ部２０３に提供する。
【００２０】
メモリ部２０３は、非接触ＩＣカード機能専用の不揮発性メモリである。メモリ部２０３は、読み出し専用部２０４と、読み書き可能部２０５とを有する。
【００２１】
読み出し専用部２０４は固定値として、携帯端末装置２を識別する製造番号（識別番号）を格納する。製造番号は、非接触ＩＣカード用外部Ｒ／Ｗ３経由で変更出来ない読み出し専用の固定値である。
【００２２】
読み書き可能部２０５は可変値を格納する。読み書き可能部２０５は可変値として、携帯端末装置２がエリア５に対して入場しているか退場しているかを示す入退場ステータスと、携帯端末装置２がエリア５に入場していた間（入退場ステータスが入場の間）に、利用者の操作に基づいてカメラ部２０が操作された回数（禁止操作の回数）とを格納する。入場ステータスは、非接触ＩＣカード処理部２１が、非接触ＩＣカード用外部Ｒ／Ｗ３を介して入退場管理部４から受信したデータである。禁止操作の回数は、通信制御部２０２からカメラ部２０の起動が禁止された情報に基づいて提供される。尚、製造番号、入退場ステータス、及び禁止操作の回数が、非接触ＩＣカード処理部２１と非接触カード用外部Ｒ／Ｗ３との間でやりとりされるデータである。
【００２３】
非接触ＩＣカード用外部Ｒ／Ｗ３は、所定の距離にある携帯端末装置２の非接触ＩＣカード処理部２１と、非接触方式で通信を行うリーダライタである。詳細には、非接触ＩＣカード用外部Ｒ／Ｗ３は、電波または磁界を発生させ、所定の距離に近づいた非接触ＩＣカード用外部Ｒ／Ｗ３を起動させる。そして、非接触ＩＣカード用外部Ｒ／Ｗ３は、起動した非接触ＩＣカード処理部２１のメモリ部２０３から、製造番号、及び禁止操作の回数を受信する。非接触ＩＣカード用外部Ｒ／Ｗ３は、製造番号及び禁止操作の回数を入退場管理サーバ４へ送信する。また、非接触ＩＣカード用外部Ｒ／Ｗ３は、入退場管理サーバ４から入退場ステータスを受け取り、非接触ＩＣカード処理部２１へ送信する。
【００２４】
入退場管理サーバ４は、非接触ＩＣカード用外部Ｒ／Ｗ３から情報を受信して、携帯端末装置２を所持する利用者の入退場を管理する。図４は、入退場管理サーバ４の機能ブロック図である。図４を参照すると、入退場管理サーバ４は、送受信部４１と、入退場管理部４２とを備える。送受信部４１は、非接触ＩＣカード用外部Ｒ／Ｗ３から、製造番号及び禁止操作の回数を受け取り、入退場管理部４２へ提供する。また、送受信部４１は、入退場管理部４２から入退場ステータスを受け取り、非接触カード用外部Ｒ／Ｗ３へ提供する。
【００２５】
入退場管理部４２は管理テーブルを有する。図５は、入退場管理部４２が有する管理テーブルの例である。図５を参照すると、管理テーブルは、製造番号と、利用者名と、入退場ステータスと、禁止操作の回数との項目を含む。製造番号と利用者名とは、予め関連付けられて管理テーブルに格納されているデータである。禁止操作の回数は、携帯端末装置２がエリア５に前回入場していた間に、利用者の操作に基づいてカメラ部２０が操作された回数を表す。禁止操作の回数は、携帯端末装置２がエリア５から退場するときに、非接触ＩＣカード用外部Ｒ／Ｗ３を介して送信し、入退場管理部４２に格納されるデータである。入退場管理部４２は製造番号を受け取ると、管理テーブルを参照し、登録された携帯端末装置であるか否かの認証を行う。受け取った製造番号が未登録である場合、入退場管理部４２は、携帯端末装置２の利用者の入場を制限する。エリア５内への入場を制限する方法は、非接触ＩＣカード用外部Ｒ／Ｗ３が報知する方法や、携帯端末装置２の各種機能部から報知する方法など既知の技術を組み合わせるものとする。
【００２６】
入退場管理部４２は、携帯端末装置２を認証後、入退場ステータスが「退場」の場合、管理テーブルを参照して、携帯端末装置２の禁止操作の回数（カメラ部２０が操作された回数）が、所定回数以内であるか否かを判定する。禁止操作の回数が所定回数以内でない場合、入退場管理部４２は、携帯端末装置２の利用者のエリア５内への入場を制限する。エリア５内への入場を制限する方法は、非接触ＩＣカード用外部Ｒ／Ｗ３が報知する方法や、携帯端末装置２の各種機能部から報知する方法など既知の技術を組み合わせるものとする。禁止操作の回数が所定回数以内である場合、入退場管理部４２は入退場ステータスを「退場」から「入場」に更新する。また、入退場管理部４２は、携帯端末装置２を認証後、入退場ステータスが「入場」の場合、禁止操作の回数を非接触ＩＣカード処理部２１から受信した回数に更新し、更に、入退場ステータスを「入場」から「退場」に更新する。
【００２７】
入退場管理サーバ４は、コンピュータを用いて実現可能である。図６は、入退場管理サーバ４の実施の形態における、ハードウェア構成例を示すブロック図である。図６を参照すると、入退場管理サーバ４は、ＣＰＵ１００と、記憶装置１０１と、入力装置１０２と、出力装置１０３と、各装置を接続するバス１０４とを備えるコンピュータシステムで構成される。
【００２８】
ＣＰＵ１００は、記憶装置１０１に格納されている本発明の入退場管理システム１に係る演算処理及び制御処理を行う。記憶装置１０１は、ハードディスクやメモリなど、情報の記録を行う装置である。記憶装置１０１は、ＣＤ−ＲＯＭやＤＶＤ等のコンピュータ読み取り可能な記憶媒体から読み取られたプログラム、入力装置１０２から入力された信号やプログラム、及びＣＰＵ１００の処理結果を格納する。入力装置１０２は、マウス、キーボード、マイクロフォンなど、管理者がコマンド及び信号を入力することが出来る装置である。出力装置１０３は、ディスプレイ、スピーカなど、管理者に出力結果を認識させる装置である。尚、本発明はハードウェア構成例と示したものに限定されず、各部はハードウェアとソフトウエアとを単独又は組み合わせて実現することが出来る。
【００２９】
図７は、入退場管理システム１の実施の形態の処理動作において、利用者が携帯端末装置２を所持してエリア５に入場したときの処理動作を示したフローチャートである。図７を参照して、本発明の実施の形態による入場時の処理動作を説明する。
【００３０】
利用者は携帯端末装置２を持ち歩いており、エリア５への入場を試みる。エリア５の入場口には非接触ＩＣカード用外部Ｒ／Ｗ３が備え付けられている。利用者は、所持している携帯端末装置２を非接触ＩＣカード用外部Ｒ／Ｗ３に近づける。携帯端末装置２の非接触ＩＣカード処理部２１と非接触ＩＣカード用外部Ｒ／Ｗ３とが所定の距離に近づくと、非接触ＩＣカード処理部２１は、非接触ＩＣカード用外部Ｒ／Ｗ３が発生させる電波または磁界を受信して起動する（ステップＳ０１）。
【００３１】
非接触ＩＣカード処理部２１は、メモリ部２０３に格納されている製造番号と禁止操作の回数とを含む情報を送信する（ステップＳ０２）。
【００３２】
非接触ＩＣカード用外部Ｒ／Ｗ３は、ＩＣカード処理部２１から製造番号と禁止操作の回数とを含む情報を受信する（ステップＳ０３）。そして、非接触ＩＣカード用外部Ｒ／Ｗ３は、入退場管理に必要な認証処理を実行させるため、入退場管理サーバ４に製造番号と禁止操作回数とを含む情報を送信する（ステップＳ０４）。
【００３３】
入退場管理サーバ４の送信部４１は、製造番号及び禁止操作の回数を受信し、入退場管理部４２へ提供する。入退場管理部４２は製造番号を受け取ると、管理テーブルを参照し、登録された携帯端末装置であるか否かの認証を行う（ステップＳ０５）。尚、この段階では、未だ利用者が入場していないので、管理テーブルの入退場ステータスは「退場」となっている。受け取った製造番号が未登録である場合、入退場管理サーバ４は、携帯端末装置２の利用者のエリア５内への入場を制限する。エリア５内への入場を制限する方法は、非接触ＩＣカード用外部Ｒ／Ｗ３が報知する方法や、携帯端末装置２の各種機能部から報知する方法など既知の技術を組み合わせるものとする。
【００３４】
入退場管理部４２は、入退場ステータスが「退場」であるため、管理テーブルを参照して、禁止操作の回数（携帯端末装置２がエリア５に前回入場していた間に、利用者の操作に基づいてカメラ部２０が操作された回数）が、所定の回数以内であるか否かを判定する（ステップＳ０６）。禁止操作の回数が所定回数以内でない場合、入退場管理部４２は、携帯端末装置２の利用者のエリア５内への入場を制限する。エリア５内への入場を制限する方法は、前述した方法と同様である。
【００３５】
禁止操作の回数が所定回数以内である場合、入退場管理部４２は入退場ステータスを「退場」から「入場」に更新する（ステップＳ０７）。入退場管理部４２は、更新された入退場ステータスを非接触ＩＣカード用外部Ｒ／Ｗ３に送信する（ステップＳ０８）。
【００３６】
非接触ＩＣカード用外部Ｒ／Ｗ３は、入退場ステータスを受信する（ステップＳ０９）。非接触ＩＣカード用外部Ｒ／Ｗ３は、入退場ステータスを携帯端末装置２に送信する（ステップＳ１０）。
【００３７】
携帯端末装置２の送受信部２０１は、入退場ステータスを受信する。通信制御部２０２は、入退場ステータスを読み書き可能部２０５に格納されている入退場ステータスを「入場」に更新する（ステップＳ１１）。携帯端末装置２と非接触ＩＣカード用外部Ｒ／Ｗ３との通信は終了し、利用者は携帯端末装置２を非接触ＩＣカード用外部Ｒ／Ｗ３から離す。
【００３８】
図８は、入退場管理システム１の実施の形態の処理動作において、利用者が携帯端末装置２を所持してエリア５に入場した後、エリア５内でカメラ撮影するときの処理動作を示したフローチャートである。図８を参照して、本発明の実施の形態による入場後の処理動作を説明する。
【００３９】
利用者はエリア５へ入場した後も、携帯端末装置２を保持している。このとき、携帯端末装置２は特に何も動作しておらず、携帯電話であれば待ち受け状態であるものとする。また、携帯端末装置２において、非接触ＩＣカード処理部２１の読み書き可能部２０５は、入退場ステータスの「入場」を格納している。利用者は、カメラ部２０を起動させる操作や撮影ボタンの押下など撮影に係る操作を行う。携帯端末装置２の制御部１２は、カメラ部２０を動作させる操作を検出する（ステップＳ２０）。
【００４０】
制御部１２は、カメラ部２０を動作させる操作を検出すると、非接触ＩＣカード処理部２１の読み書き可能部２０５へアクセスし、入退場ステータスが「入場」と「退場」との何れかであるかを判定する（ステップＳ２１）。
【００４１】
ステップＳ２１において、入退場ステータスが「退場」の場合、制御部１２はカメラ部２０を通常通りに起動させる（ステップＳ２２）。従って、エリア５から退場した利用者は、通常通りに携帯端末装置２のカメラ部２０を使用して撮影することができる。
【００４２】
ステップＳ２２において、入退場ステータスが「入場」の場合、制御部１２はカメラ部２０の起動を禁止する（ステップＳ２３）。
【００４３】
制御部１２は、カメラ部２０の起動が禁止された情報を通信制御部２０２へ提供する。通信制御部２０２は、カメラ部２０の起動が禁止された情報を受け取り、読み書き可能部２０５の禁止操作の回数を更新する。読み書き可能部２０５は、更新された禁止操作の回数を格納する（ステップＳ２４）。尚、制御部１２は、カメラ部２０の起動が禁止された情報をＬＣＤ部１３やレシーバ部１５へ提供し、利用者にカメラ部２０起動が禁止されたことを通知しても良い。この様に、本発明の入退場管理システム１は、エリア５に入場した利用者が携帯端末装置２で撮影しようとしても、自動的にカメラ機能の起動を禁止できる効果を奏する。
【００４４】
図９は、入退場管理システム１の実施の形態の処理動作において、利用者が携帯端末装置２を所持してエリア５から退場するときの処理動作を示したフローチャートである。図９を参照して、本発明の実施の形態による退場時の処理動作を説明する。
【００４５】
携帯端末装置２を所持する利用者は、エリア５から退場を試みる。エリア５の退場口には非接触ＩＣカード用外部Ｒ／Ｗ３が備え付けられている。利用者は、所持している携帯端末装置２を非接触ＩＣカード用外部Ｒ／Ｗ３に近づける。携帯端末装置２の非接触ＩＣカード処理部２１と非接触ＩＣカード用外部Ｒ／Ｗ３とが所定の距離に近づくと、非接触ＩＣカード処理部２１は、非接触ＩＣカード用外部Ｒ／Ｗ３が発生させる電波または磁界を受信して起動する（ステップＳ３０）。
【００４６】
非接触ＩＣカード処理部２１は、メモリ部２０３に格納されている製造番号と禁止操作回数を含む情報を送信する（ステップＳ３１）。
【００４７】
非接触ＩＣカード用外部Ｒ／Ｗ３は、ＩＣカード処理部２１から製造番号と禁止操作の回数とを含む情報を受信する（ステップＳ３２）。そして、非接触ＩＣカード用外部Ｒ／Ｗ３は、入退場管理に必要な認証処理を実行させるため、入退場管理サーバ４に製造番号と禁止操作回数とを含む情報を送信する（ステップＳ３３）。
【００４８】
入退場管理サーバ４の送信部４１は、製造番号及び禁止操作の回数を受信し、入退場管理部４２へ提供する。入退場管理部４２は製造番号を受け取ると、管理テーブルを参照し、登録された携帯端末装置であるか否かの認証を行う（ステップＳ３４）。尚、この段階では、利用者の入退場ステータスは「入場」となっている。受け取った製造番号が未登録である場合、入退場管理サーバ４は、携帯端末装置２の利用者のエリア５内への退場を制限する。エリア５内への退場を制限する方法は、非接触ＩＣカード用外部Ｒ／Ｗ３が報知する方法や、携帯端末装置２の各種機能部から報知する方法など既知の技術を組み合わせるものとする。
【００４９】
入退場管理部４２は、入退場ステータスが「入場」の場合、禁止操作の回数を非接触ＩＣカード処理部２１から受信した回数に更新する（ステップＳ３５）。更に、入退場管理部４２は、管理テーブルの入退場ステータスを「入場」から「退場」に更新する（ステップＳ３６）。そして、入退場管理部４２は、更新された入退場ステータスを非接触ＩＣカード用外部Ｒ／Ｗ３に送信する（ステップＳ３７）。
【００５０】
非接触ＩＣカード用外部Ｒ／Ｗ３は、入退場ステータスを受信する（ステップＳ３８）。非接触ＩＣカード用外部Ｒ／Ｗ３は、入退場ステータスを携帯端末装置２に送信する（ステップＳ３９）。
【００５１】
携帯端末装置２の送受信部２０１は、入退場ステータスを受信する。通信制御部２０２は、入退場ステータスを読み書き可能部２０５に格納されている入退場ステータスを「退場」に更新する（ステップＳ４０）。携帯端末装置２と非接触ＩＣカード用外部Ｒ／Ｗ３との通信は終了し、利用者は携帯端末装置２を非接触ＩＣカード用外部Ｒ／Ｗ３から離す。
【００５２】
以上説明したように、本発明の入退場管理システム１は、カメラ機能を有する携帯端末装置２を所持する利用者が撮影禁止区域に入場しているときに、自動的にカメラ撮影を禁止することが可能である。更に、本発明の入退場管理システム１は、エリア５内での禁止操作の回数をカウントすることで、禁止された行為を行うおそれのある利用者の次回の入場を制限することができる。
【００５３】
また、本発明の入退場管理システム１は、ＬＥＤによる各種表示パターンによって、携帯端末装置２の入退場ステータスを利用者に通知してもよい。これは、携帯端末装置２がＬＥＤ表示部を備え、制御部１１の制御に基づいて、ＬＥＤ表示部がメモリ部２０３に格納された入退場ステータスの「入場」或いは「退場」を点灯又は点滅で利用者に通知することで実現される。特に、入退場ステータスが「入場」の間にＬＥＤ表示部が点灯や点滅を行うと、携帯端末装置２の利用者に、カメラ部２０がエリア５内で抑制されていることを認識させやくする効果を奏する。
【符号の説明】
【００５４】
１      入退場管理システム
２      携帯端末装置
３      非接触ＩＣカード用外部Ｒ／Ｗ
４      入退場管理サーバ
５      エリア
１１    無線部
１２    制御部
１３    ＬＣＤ部
１４    キー入力部
１５    レシーバ部
１６    マイク部
１７    振動発生部
１８    ＲＡＭ部
１９    ＲＯＭ部
２０    カメラ部
２１    非接触ＩＣカード処理部
４１    送受信部
４２    入退場管理部
１００  ＣＰＵ
１０１  記憶装置
１０２  入力装置
１０３  出力装置
１０４  バス
２０１  送受信部
２０２  通信制御部
２０３  メモリ部
２０４  読み出し専用部
２０５  読み書き可能部
【図１】
2011044889.tif 000003
【図２】
2011044889.tif 000004
【図３】
2011044889.tif 000005
【図４】
2011044889.tif 000006
【図５】
2011044889.tif 000007
【図６】
2011044889.tif 000008
【図７】
2011044889.tif 000009
【図８】
2011044889.tif 000010
【図９】
2011044889.tif 000011